(57)【要約】      （修正有）【課題】小型、薄型、高密度実装することできるようにした半導体装置を提供する。【解決手段】第１の配線を備え、第１の面と、該第１の面と反対側の第２の面とを有する配線体３０３と、前面に電極３０２を有し、前記第１の面に搭載されて電極３０２を介して前記第１の配線と電気的に接続するＩＣチップ３０１と、前記第１の面に配設されて前記第１の配線と電気的に接続する導体柱３０６と、ＩＣチップ３０１と導体柱３０６との間に充填されて前記第１の面と反対側となる上面を形成するとともに導体柱３０６の端面を露出させる絶縁性樹脂３０７と、を備え、絶縁性樹脂３０７の下面を配線体３０３により完全に覆うように配線体３０３が連続した膜により形成されている。【選択図】図１１
2008118152.tif 000002
【特許請求の範囲】
【請求項１】
第１の配線を備え、第１の面と、該第１の面と反対側の第２の面とを有する配線体と、
前面に電極を有し、前記第１の面に搭載されて前記電極を介して前記第１の配線と電気的に接続するＩＣチップと、
前記第１の面に配設されて前記第１の配線と電気的に接続する導体柱と、
前記ＩＣチップと導体柱との間に充填されて前記第１の面と反対側となる上面を形成するとともに前記導体柱の端面を露出させる絶縁性樹脂と、を備え、
前記絶縁性樹脂の下面を前記配線体により完全に覆うように前記配線体が連続した膜により形成されている半導体装置。
【請求項２】
請求項１記載の半導体装置において、
前記端面と前記上面が実質的に連続した平坦な面である半導体装置。
【請求項３】
請求項２記載の半導体装置において、
前記配線体の前記第２の面に設けられた第２の配線を有する半導体装置。
【請求項４】
請求項３記載の半導体装置において、
前記上面に設けられ、前記端面と電気的に接続する第３の配線を有する半導体装置。
【請求項５】
請求項４記載の半導体装置において、
前記端面と前記第２の配線との間に形成された半田ボールを有する半導体装置。
【請求項６】
請求項３記載の半導体装置において、
前記第２の配線上に形成された半田ボールを有する半導体装置。
【請求項７】
請求項３記載の半導体装置が複数積層された積層型半導体装置であって、
前記複数の半導体装置のなかの１つの半導体装置の端面は、他の半導体装置の第２の配線と電気的に接続する積層型半導体装置。
【請求項８】
請求項１記載の半導体装置において、
前記上面に形成され、前記端面と電気的に接続する第３の配線を有する半導体装置。
【請求項９】
請求項１記載の半導体装置において、
前記端面上に形成された半田ボールを有する半導体装置。
【請求項１０】
請求項１記載の半導体装置において、
前記配線体は、前記第２の面の露出部分に配設されたレジスト層を有する半導体装置。
【発明の詳細な説明】
【技術分野】
【０００１】
本発明は、半導体装置と、半導体装置を多段に積層した半導体装置に係わり、特に三次元実装可能にすることで集積度を向上に関する。
【背景技術】
【０００２】
近年、電子機器の小型化、高機能化は、ＬＳＩの微細化技術によって半導体装置そのものが小型化、高集積化、高機能化が進展し、特にメモリやＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のＬＳＩを積み重ねて実装したスタック型半導体装置が携帯端末等に広く使われている。
【０００３】
上記のような半導体装置を実現するための従来技術としては、例えば、特開２０００−２０８６９号公報の図１に示されるようにＴＡＢテープ、フレキシル基板、リジッド基板に半導体素子を搭載し樹脂封止して厚みを１００μｍ程度まで薄くしたパッケージを複数個積み重ねて実装したスタック型半導体装置用モジュールや、特開平７―１０６５０９号公報の図１に示されるように外部端子が基板の両面に設けられ配線基板の凹部に半導体素子を搭載し、前記基板の両面で交互に外部端子を接続したモジュールや、特開２０００−１８３２８３号公報の図４（ｃ）に示されるように配線基板に第１の半導体素子をフリップチップし、その周囲にスタッドバンプを設け、そのスタッドバンプに第２の半導体素子の配線体を接続して樹脂封止した構造などが挙げられる。
【発明の開示】
【発明が解決しようとする課題】
【０００４】
上述した従来例のうち、特開２０００−２０８６９号公報に開示されるものでは、薄型でスタック型に複数個実装してもモジュールの厚さはそれほど厚くならない。しかし、構造上外部接続端子をチップの面上に設けることができず、チップ周囲に設けられているので平面的に大きな面積を必要とする。例えば、テープキャリアパッケージの例ではチップの面積に対してチップの外側に３〜５ｍｍの領域に外部接続端子が設けられるために占める面積は非常に大きくなるという問題点がある。
【０００５】
特開平７―１０６５０９号公報に開示される構造は、配線基板の凹部にチップを搭載する構造であり、これを複数個スタック構造に積み重ねるために、全体の厚さが厚くなってしまうという問題点がある。また、平面方向の面積が大きくなってしまうという問題点は特開２０００−２０８６９号公報に開示されるものと同様である。
【０００６】
特開２０００−１８３２８３号公報に開示される従来例は、配線基板の厚さ分だけ厚くなり、このため、特開２０００−２０８６９号公報および特開平７―１０６５０９号公報に開示されるものと同様に平面方向の面積が小さくならないという問題点がある。
【０００７】
以上のようにスタック構造に実装すると厚くなり、平面方向の実装面積が大きくなる問題点があった。
【０００８】
本発明は、このような従来技術の課題を解決するものであり、その目的とするところは大幅に小型、薄型、高密度実装することできるようにした半導体装置を提供することにある。
【課題を解決するための手段】
【０００９】
本発明の半導体装置は、第１の配線を備え、第１の面と、該第１の面と反対側の第２の面とを有する配線体と、
前面に電極を有し、前記第１の面に搭載されて前記電極を介して前記第１の配線と電気的に接続するＩＣチップと、
前記第１の面に配設されて前記第１の配線と電気的に接続する導体柱と、
前記ＩＣチップと導体柱との間に充填されて前記第１の面と反対側となる上面を形成するとともに前記導体柱の端面を露出させる絶縁性樹脂と、を備え、
前記絶縁性樹脂の下面を前記配線体により完全に覆うように前記配線体が連続した膜により形成されている。
【００１０】
この場合、前記端面と前記上面が実質的に連続した平坦な面であるとしてもよい。
【００１１】
さらに、前記配線体の前記第２の面に設けられた第２の配線を有するとしてもよい。
【００１２】
さらに、前記上面に設けられ、前記端面と電気的に接続する第３の配線を有するとしてもよい。
【００１３】
さらに、前記端面と前記第２の配線との間に形成された半田ボールを有するとしてもよい。
【００１４】
また、前記第２の配線上に形成された半田ボールを有するとしてもよい。
【００１５】
また、前記上面に形成され、前記端面と電気的に接続する第３の配線を有するとしてもよい。
【００１６】
また、前記端面上に形成された半田ボールを有するとしてもよい。
【００１７】
また、前記配線体は、前記第２の面の露出部分に配設されたレジスト層を有するとしてもよい。
【００１８】
本発明の積層型半導体装置は、半導体装置が複数積層された積層型半導体装置であって、
前記複数の半導体装置のなかの１つの半導体装置の端面は、他の半導体装置の第２の配線と電気的に接続する。
【発明の効果】
【００１９】
本発明は以上説明したように構成されているので、以下に記載するような硬化を奏する。
【００２０】
半導体素子の両面に極薄の配線体を配置し、半導体素子を挟み込んで両配線体を半導体素子に平行して林立する導体柱で相互に接続しているために、最小面積で厚さが１００μｍ以下の半導体装置が実現できる。
【００２１】
第２配線体を用いないものの場合には、面積が若干大きくなるが厚さは６０μｍ以下の半導体装置が実現できる。
【００２２】
単体の半導体装置を多段に積み重ねて接続した積層型半導体装置としたものでは非常に薄い高集積の半導体装置が簡単に得られる。
【００２３】
第１配線体を埋め込み配線で形成し、第２配線体をテープキャリア配線体で形成する場合には、工程が簡単となり最小面積の半導体装置が得られる。
【００２４】
第１配線体と第２配線体を相互に接続する導体柱の形成時期を、半導体素子を接続する前に形成する場合には、メッキ作業等が途中工程で入らないために製造工程が単純化する。
【００２５】
第１配線体と第２配線体を共に埋め込み型の配線体で形成する場合には極薄の半導体装置が簡単に製造できる。
【００２６】
個片化されていない半完成品の半導体装置を多層に積み重ねて端子部を接続と接着した状態でまとめて所定領域を切断する場合には積層型半導体装置を効率よく生産することができる。
【００２７】
第１，２配線体を多層配線にすることによって端子部が半導体素子の周辺及び半導体素子上に配置することが自由にでき、さらなる半導体装置の小面積化が可能となる。
【発明を実施するための最良の形態】
【００２８】
以下に本発明の実施形態を図面に基づいて説明する。
【００２９】
図１は、本発明による半導体装置の平面図であり、図２は、図１中のＡ−Ａ′の断面図である。図３は図１に示す半導体装置の製造工程を説明するための図である。
【００３０】
ここで、図１、図２に示す半導体装置について説明する。
【００３１】
半導体素子４の電極５には第１配線体３が接続され、第１配線体３には半導体素子４の面内から外部にわたって延在する端子部１５が設けられている。第１配線体３の端子部１５は、半導体素子４の周囲に放射状に複数形成され、その厚さは１５μｍ程度であり、絶縁性の樹脂６により固定されている。
【００３２】
半導体素子４の反第１配線体側となる面には配線体１９が設けられ、配線体１９の端子部１６は、半導体素子４の周囲に樹脂６を貫通する形態で設けられた導体柱１０を介して接続されている。端子部１６以外の部分は接着材、例えばエポキシ系接着剤によって強固に接着されている。
【００３３】
次に、図１および図２に示した半導体装置の製造方法について図３を参照して説明する。
【００３４】
図３（ａ）に示される基板１は、第１の配線体としての第１配線体３を形成するための平らな銅基板であり、一枚の基板に形成する第１配線体３の数量は半導体素子の大きさによって取り数は異なる。基板１の大きさはおおよそ縦１００ｍｍ、横３００ｍｍ、板厚は０．２５ｍｍである。この基板１の板厚と大きさは第１配線体３の取り数によって適宜決められる。
【００３５】
次に、図３（ａ）に示した基板１に第１配線体３をパターン形成する方法について説明する。
【００３６】
一つの方法としては、図３（ｂ）に示すように、銅板全面にメッキ（または圧延）によって１０〜１５μｍ程度の厚さに積層したＡｕ／Ｎｉ／Ａｕメッキ２を形成する。その後、感光性レジスト（図示せず）を塗布し、マスク露光した後に現像する。これにより、第１の第１配線体３を形成する部分が被覆され、それ以外が剥離されるようにパターニングする。次に、レジストパターンをマスクにしてＮｉを例えばメルテックス社製、商品名エンストリップ  ＮＰ（アルカリ性）やエンストリップ  １６５Ｓ（硫酸系）でエッチングしてＮｉの配線体形成後、レジストを溶剤またはプラズマ等で除去する。これにより、第１配線体３が複数個同時に形成される。その後、第１配線体３のパターン上に０．１μｍ程度のＡｕメッキをして接続時の酸化防止とする。
【００３７】
また、別の方法としては、配線体パターン形状に感光性レジストを塗布、マスク露光、現像して配線体形成部分のレジストが剥離されるようにパターニングする。その後薄いＡｕメッキの上に、１０〜１５μｍのＮｉをメッキし、さらにその上にＡｕメッキをして接続時の酸化防止とする。その後、レジストは上述と同じ方法で除去する。Ａｕメッキは０．１μｍ程度でよい。
【００３８】
その後、基板１上のＡｕ／Ｎｉ／Ａｕからなる第１配線体３に、図３（ｃ）に示すように半導体素子４の電極５（図２参照）を位置合わせして加熱圧接によるフリップチップ接続を行う。その後、第１配線体３と半導体素子４との間にアンダーフィル封止剤として低粘度樹脂（例えば住友ベークライト（株）社製、商品名ＣＲＰ−４７１１Ａ等の大チップ低応力性の樹脂）を充填・加熱硬化させた後に一般的なトランスファー成形により樹脂６を半導体素子の周囲を充填して半導体素子と基板を接着して応力に対して耐性を持たせる。
【００３９】
上記のアンダーフィル樹脂を注入する方法とは別の方法としては、金属基板１と第１配線体３上にシート状または高粘度の樹脂を付着させておき、半導体素子４を第１配線体３の接続部に位置合わせして加熱圧着または加熱溶融させて接続すると同時に接着材も硬化させてアンダーフィル樹脂の代わりにすることも可能である。
【００４０】
次いで、図３（ｄ）に示すように半導体素子４と充填した樹脂６とを研削機１００により研削する。研削前の半導体素子４の厚さは８００μｍ程度であり、これを樹脂６と一緒に１０μｍ程度の厚さまで薄く削る。ここで用いた研削機１００は、ディスコ社製の一般的な装置を用いて充分に目的の薄さに研削・制御できる。
【００４１】
その後、半導体素子４の研削面には応力歪みや微細なクラック、欠けが発生するために、５０〜６０℃の３％ＮａＯＨに１〜２分間浸し、表面を１〜２μｍ程度エッチングした。
【００４２】
次に、樹脂６にスルーホールを形成する。図３（ｅ）〜図３（ｈ）は、説明しやすいようにスルーホール形成部分を拡大して示している。第１配線体３の周辺近傍にレーザー光８を照射し、第１配線体３上の樹脂６を蒸発させ、第１配線体３上の樹脂６にスルーホール９を形成する。このスルーホール９の径は５０〜１００μｍ程度であり、配線ピッチに応じて適宜選択できる。
【００４３】
続いて、スルーホール９内を銅メッキにより充填する。この方法について図３（ｆ）を参照して説明する。基板１をアノード電極とし、カソード電極を銅板（不図示）に接続し、硫酸銅またはシアン化銅を電解液としてスルーホール９内を銅金属１１で充填させる。メッキ層は樹脂面より若干突出させ、突出部１２を形成する。その後に、錫メッキ浴、半田メッキ浴、または金メッキ浴に移して、突出部１２に錫メッキ、半田メッキまたは金メッキをする方法等が可能である。この様にして柱状の導体からなる端子部１０を形成する。
【００４４】
次に、図３（ｇ）に示すように、研削された半導体素子４の裏面１３とスルーホール９内を銅金属で充填し、表面に金または等がメッキされた突出部１２に、図２における配線体１９に相当するテープ配線基板１４の内部電極を接続する。テープ配線基板１４はベースフィルム上に銅により導体配線パターンが形成されており、該導体配線パターンの表面にニッケル／金のメッキが施されている。接続後、樹脂１０１により接続部を封止し、はんだなどにより端子部１０３を形成する。突出部１２とテープ配線基板の内部電極との接続は、突出部１２が金メッキの場合には加熱圧接、または超音波接合法などで接続し、また、突出部１２が半田メッキの場合は、２５０℃程度の温度で溶融接続をすることが出来る。
【００４５】
上記のテープ配線基板１４を配線体１９として用いる方法の他に、感光性樹脂の塗布、露光、現像によるパターン形成方法によるビルドアップ工法を用いる方法もある。この方法については後に詳細に述べる。この場合にも上述した金メッキ、半田メッキの方法は同じである。
【００４６】
その後、この状態で各半導体素子を個別にするダイシング装置で半導体素子間に切り溝を設ける（図示せず）。
【００４７】
その後、図３（ｈ）に示すように、研削面とスルーホール９が形成された面にエッチング時の保護樹脂（図示せず）を塗布し、熱硬化させた後に基板である銅を塩化第二鉄、または、塩化第二銅で銅基板全部をエッチング除去して１０〜５０μｍ程度の厚さとする。
【００４８】
この後にダイシング装置で半導体素子間を行方向、列方向に切断後、保護樹脂を溶剤で溶かすと個片化された半導体素子の両面に薄膜を用いた配線体で挟まれた半導体装置ができあがる。
【００４９】
以上の説明では、配線体を形成する基板として金属基板を用いて説明したが、他にもエッチングや機械的な剥離が可能な基板を用いることにより同様な構造の形成が可能である。
【００５０】
次に、導体柱からなる端子部１０の他の製造方法について説明する。
【００５１】
図３（ｅ）に示した状態において、樹脂にスルーホールを形成し、メッキにより金属粒を充填する代わりに、図３（ｂ）に示す工程で第１配線体３を形成後、端子部１０として２５〜３０μｍ径の金細線をワイヤーボンディングにより所定位置に接続すると、ワイヤーが熱と圧力と超音波のエネルギーで変形して５〜６０μｍ径の太さになるとともに金細線の一部が細り、そこからクランプ操作により切断され、端子部１０と同様のものが形成される。
【００５２】
また、導体柱の端子部１０の高さを必要に応じて１個または２個積み重ねたスタッドバンプを形成した後に樹脂を充填する方法がある。
【００５３】
図１０（ａ）〜（ｇ）はスタッドバンプを用いた端子部の形成方法を説明するための図である。
【００５４】
図１０（ａ）に示すように基板２０１上に第１配線体２０２を形成する。
【００５５】
次に、図１０（ｂ）に示すように半導体素子２０３をその電極が第１配線体２０２と接続するように搭載する。
【００５６】
続いて、図１０（ｃ）に示すように導体柱としてのスタッドバンプ２０４を積層し、図１０（ｄ）に示すように半導体素子２０３と基板２０１との間をアンダーフィル２０５を充填させる。
【００５７】
次に、図１０（ｅ）に示すように半導体素子２０３の周囲を樹脂２０６により封止する。
【００５８】
この後、図１０（ｆ）に示すように基板２０１をエッチング除去し、図１０（ｇ）に示すように樹脂２０６を研削除去する。
【００５９】
また、導体柱を形成した後に、樹脂封止を行う他の例について図１１を参照して説明する。
【００６０】
図１１において、３０１はＩＣチップ、３０２はＩＣチップ３０１の電極、３０３は、ＩＣチップ３０１の電極３０２が電気的に接続される平面状の配線体であり、この配線体３０３は、基板３０４上に固着して設けられている。
【００６１】
３０６は、ＩＣチップ３０１が組み付けられた前記配線体３０３の一方の面３０３ａ上で、前記配線体３０３に接続して設けられる導体柱、３０７は、配線体３０３の一方の面３０３ａ上で、ＩＣチップ３０１及び導体柱３０６が設けられていない部分に充填された絶縁樹脂である。
【００６２】
次に、このように構成した半導体装置の製造方法について、説明する。
【００６３】
まず、図１１（ａ），（ｂ）に示すように、基板３０４上に形成された配線体３０３と、配線体３０３上に設けた導体柱（導体突起）３０６とからなる配線基板３０４の配線体３０３の一方の面３０３ａに、ＩＣチップ３０１をフリプチップ接続し、次に、図１１（ｃ）示すように、基板３０４の一方の面３０３ａ上で、ＩＣチップ３０１及び導体柱３０６を絶縁樹脂３０７で覆い、封止する。
【００６４】
次に、図１１（ｄ）に示すように、樹脂３０７を研削し、導体柱３０６の端面３０８を露出させ、また、配線体３０４から基材３０５を除去する。
【００６５】
上記の方法は、メッキ作業を用いる製造方法に比べてメッキ作業等が途中工程で入らないために製造工程を単純化することができる。
【００６６】
次に、第２配線体を感光性樹脂の塗布、露光、現像によるパターン形成方法によるビルドアップ工法を用いて形成する方法について説明する。
【００６７】
図５は、第２配線体を埋め込み型の配線体で形成する製造方法の手順を示すものである。
【００６８】
図５（ａ）に示される第２金属基板２２上には、図３（ａ）に示した第１配線体３と同様の配線体２５が形成されている。なお、メモリをスタック構造に積層する場合には第１配線体と第２配線体のパターンは同じ場合が多い。
【００６９】
次いで、図５（ｂ）に示すように金属基板１２に第２配線体の端子部に、半完成品の半導体装置２４を接続する。半導体装置２４は、図３（ｆ）に示した状態の半導体装置であり、図３（ｆ）における第１配線体３と接続する端子部１０の突出部１２配線体５の所定の位置に合わせて接続する。
【００７０】
次に、接続した両者の間にアンダーフィル樹脂２６を充填し、熱硬化させる。このアンダーフィル樹脂を半導体装置２４と配線体２５の間に充填においては、これらの間隔が狭く、また、側面から注入しなければならないため、金属基板の一辺を真空装置のノズル形状の治具で挟み込み減圧しながら対辺から低粘度のアンダーフィル樹脂を注入して毛細管現象と減圧の作用で基板間全面に充填させる方法が有効となる。
【００７１】
続いて、基板１および第２金属基板２２をエッチング除去し、その後、半田浴により第１配線体３および配線体２５に端子部２７を形成し、図５（ｃ）に示す状態とする。
【００７２】
上記の半導体装置２４と配線体２５との間にアンダーフィル樹脂を注入する方法に代えて、配線体２５上にシート状または高粘度の接着材を予め適量の厚さに塗布してから半導体装置２４を配線体２５に接続して加圧接着すると共に接着材を硬化する方法も一般的に用いられる方法である。
【００７３】
これらの方法で製造された半導体装置の具体的な寸法は、配線基板２５（第２配線体）および第１配線体３（第１配線体）の厚さがそれぞれ１０〜１５μｍ、半導体素子厚が１０μｍ、配線基板と半導体素子間を接着するアンダーフィル樹脂厚が５〜１０μｍ程度であり、これらの最大の厚さを合計しても６０μｍ程度の半導体装置ができあがる。
【００７４】
図３に示した第２配線体としてテープ配線基板１４を用いた場合には、テープ配線基板１４の厚さは５０〜８０μｍ程度あり、合計厚さは１２５μｍの厚さになる。
【００７５】
次に、第１配線体および第２配線体を多層に形成する製造方法について説明する。
【００７６】
図３に示した金属基板１にＮｉ／Ａｕのパターンを形成してからポリイミド等の感光性接着材を塗布、露光、現像してコンタクト孔を設けた後に、銅配線をパターニング形成する。こうすることによって多層配線が形成できる。この方法は、ビルドアップ法と一般的に呼ばれている。
【００７７】
上記のようにして作製した第１配線基板および第２配線基板を備える半導体素子を上述した方法を組み合わせて接続する。
【００７８】
上記の方法で第１配線体および第２配線体を多層配線することによって、端子部を半導体素子の周辺及び半導体素子上に配置することが自由にでき、さらなる半導体装置の小面積化が可能となる。
【００７９】
次に、半導体装置の第２実施例について図４を用いて説明する。
【００８０】
図４は、図３（ｇ）における第２の配線体に相当するテープ配線基板１４を接続する工程を省略し、半導体素子４の片側のみに薄膜を用いた配線体が用いられた半導体装置としたものである。この場合には、第２配線体を用いない分薄く形成できるが、素子４の裏面１３に端子部（図３（ｇ）における１０３）を設けることができず、その分半導体素子４の外部に設けなければならないため、半導体装置の大きさが若干大きくなる。
【００８１】
次に、上記のように構成された半導体装置を多段に積層した半導体モジュールについて説明する。
【００８２】
図６は、図２に示した状態の半導体装置７０を位置決め治具２１に多段に重ねてリフロー炉に通して端子部同志を接続したものである。このため、図６には示さないが、以下の説明では図２に示した符号を用いて説明する。
【００８３】
図６は、図２に示した状態の半導体装置７０を複数個スタック構造に積層した半導体モジュールの断面図である。図２に示した状態の半導体装置７０の第１配線体３の端子部１５に、印刷法またはメッキ法により半田ボールをあらかじめ設けておく。配線体１９には半田のような材料を設けておく必要はなく、半田と塗れ性の良い材料、例えば金を０．１μｍ程度被着させておく。これは、例えば、図３に示したように配線体１９としてテープ配線基板１４を使用する場合には、その製造工程から材料構成は一般的なものであり全く問題ない。
【００８４】
次に、半導体装置７０の端子部を治具２１で位置決めして、一つ目の半導体装置の上に２つ目、３つ目と重ねていくと１つ目の半導体装置７０の第２配線基板１９の端子部１６に２つ目の半導体装置７０の第１配線基板３の端子部１５が接触し、窒素雰囲気のソルダーリフロー装置で加熱溶融すると図６に示すように各端子部が電気的に導通した積層型半導体装置が完成する。
【００８５】
図７は、図４に示した状態の半導体装置８０を多段に重ねてリフロー炉に通して端子部同志を接続したものである。このため、図７には示さないが、以下の説明では図４に示した符号を用いて説明する。
【００８６】
図７は、図４に示した状態の半導体装置８０を同様に重ねて端子部をリフローして電気的に導通させた構造である。本実施例においても図６に示した実施例と同様に位置決め治具使用しているが図示省略している。本実施例の場合には、端子部１５が半導体装置８０の周辺部に形成されている点のみが図６に示した実施例との違いであり、図６に示した積層型半導体装置よりも第２配線基板１９がない分だけ厚さが薄くなるが、ピン数が同じ場合には平面的な面積は大きくなる可能性がある。
【００８７】
次に、図６および図７に示すようなスタック構造の積層型半導体装置を効率よく製造する方法について、図８の断面図および図９の平面図を参照して説明する。
【００８８】
まず、図３（ａ）〜（ｇ）の工程を経て図２に示す構造の半導体装置を作製する。このとき、基板から半導体素子を個片に切り出す切断工程を実施せず、半完成品の半導体装置２６とする。
【００８９】
次に、半完成品の半導体装置２６を多段に積層して基板の表面と裏面に設けられた端子部を位置合わせして接続部に被着されている接合部材をリフロー炉に通して溶融接続する。この状態の積層された基板をダイシング装置によって半導体素子間を切り離すことによって４段重ねの積層型半導体装置が完成する。
【００９０】
以上では半導体装置間の接続方法としてリフロー法による溶融接続を例に用いて説明したが、例えばこの他に端子部に金バンプを形成しておくことにより、金−金圧着法や、圧接法などの工法を用いることも可能である。
【００９１】
また、半導体装置を積層した後、半導体装置間に樹脂を注入、硬化させるか、もしくは半導体装置間に、あらかじめシート状、もしくは液状の接着剤を供給しておくことにより、接続部を封止することで、より信頼性の高い積層型半導体装置を得ることも可能である。
【図面の簡単な説明】
【００９２】
【図１】本発明による半導体装置の平面図である。
【図２】図１中のＡ−Ａ′の断面図である。
【図３】（ａ）〜（ｈ）３は図１に示す半導体装置の製造工程を説明するための図である。
【図４】本発明の第２実施例の断面図である。
【図５】（ａ）〜（ｃ）は第２配線体を埋め込み型の配線体で形成する製造方法の手順を示すものである。
【図６】複数個の半導体装置をスタック構造に積層した積層型半導体装置の断面図である。
【図７】複数個の半導体装置をスタック構造に積層した積層型半導体装置の断面図である。
【図８】半導体素子を複数個搭載した基板を更に多段に積層した基板の断面図である。
【図９】半導体素子を複数個搭載した基板を更に多段に積層した基板の平面図である。
【図１０】（ａ）〜（ｇ）はスタッドバンプを用いた端子部の形成方法を説明するための図である。
【図１１】導体柱を形成した後に、樹脂封止を行う他の例を説明するための図である。
【符号の説明】
【００９３】
１  基板
２  Ｎｉメッキ
３  第１配線体
４  半導体素子
５  電極
６  樹脂
７  アンダーフィル
８  レーザー光
９  スルーホール
１０  導体柱
１１  銅金属
１２  突出部
１３  半導体素子の裏面
１４  テープ配線基板
１５，１６  端子部
１９  第２配線体
２１  位置決め治具
２２  第２金属基板
２５  配線体
２６  半完成品の半導体装置
【図１】
2008118152.tif 000003
【図２】
2008118152.tif 000004
【図３】
2008118152.tif 000005
【図４】
2008118152.tif 000006
【図５】
2008118152.tif 000007
【図６】
2008118152.tif 000008
【図７】
2008118152.tif 000009
【図８】
2008118152.tif 000010
【図９】
2008118152.tif 000011
【図１１】
2008118152.tif 000012
【図１０】
2008118152.tif 000013